(57)【要約】  洗濯機用の回転槽ユニット（２００）及び洗濯機用ダンパーを備える洗濯機（１）、回転槽ユニット（２００）であって、槽本体（２５０）を含み、槽本体（２５０）の内径が下方から上方に向かって徐々に増大し、槽本体（２５０）の周壁に槽本体（２５０）の外側へ凸設された導水カバー取り付け部（２６０）が形成されている回転槽（２１０）と、導水カバー取り付け部（２６０）に設けられ、且つ回転槽（２１０）内に位置し、給水口（２２１）と排水口（２１１）を有する導水キャビティ（２４０）を画定し、回転槽（２１０）において遠心力の作用により上昇する液体が給水口（２２１）から導水キャビティ（２４０）内に入って排水口（２１１）から排出される導水カバー（２２０）と、を備える。
2021500187.tif 000002
【特許請求の範囲】
【請求項１】
洗濯機用の回転槽ユニット（２００）であって、
槽本体（２５０）を含み、前記槽本体（２５０）の内径が下方から上方に向かって徐々に増大し、前記槽本体（２５０）の周壁に前記槽本体（２５０）の外側へ凸設された導水カバー取り付け部（２６０）が形成されている回転槽（２１０）と、
前記導水カバー取り付け部（２６０）に設けられ、且つ前記回転槽（２１０）内に位置し、給水口（２２１）と排水口（２１１）を有する導水キャビティ（２４０）を画定し、前記回転槽（２１０）において遠心力の作用により上昇する液体が前記給水口（２２１）から前記導水キャビティ（２４０）に入って前記排水口（２１１）から排出される導水カバー（２２０）と、を備える、
ことを特徴とする洗濯機用の回転槽ユニット。
【請求項２】
前記導水カバー取り付け部（２６０）での上下方向における前記槽本体（２５０）の輪郭線と、残りの位置での上下方向における前記槽本体（２５０）の輪郭線との距離が、上方から下方に向かって増大する、
ことを特徴とする請求項１に記載の洗濯機用の回転槽ユニット（２００）。
【請求項３】
前記導水カバー取り付け部（２６０）のいずれの部位での内径は、この部位の上方に位置する前記導水カバー取り付け部（２６０）の部分の内径以上である、
ことを特徴とする請求項１又は２に記載の洗濯機用の回転槽ユニット（２００）。
【請求項４】
前記導水カバー取り付け部（２６０）の上下方向における各部位での内径が一致している、
ことを特徴とする請求項１〜３のいずれかに記載の洗濯機用の回転槽ユニット（２００）。
【請求項５】
前記導水カバー取り付け部（２６０）の内径は、上方から下方に向かって増大する、
ことを特徴とする請求項１〜３のいずれかに記載の洗濯機用の回転槽ユニット（２００）。
【請求項６】
前記槽本体（２５０）及び前記導水カバー取り付け部（２６０）は、一体部材である、
ことを特徴とする請求項１〜５のいずれかに記載の洗濯機用の回転槽ユニット（２００）。
【請求項７】
前記給水口（２２１）は、前記導水カバー（２２０）に設けられ、前記排水口（２１１）は、前記導水カバー取り付け部（２６０）及び／又は前記槽本体（２５０）の底壁に設けられている、
ことを特徴とする請求項１〜６のいずれかに記載の洗濯機用の回転槽ユニット（２００）。
【請求項８】
前記給水口（２２１）は、前記導水カバー（２２０）の上方に設けられ、前記排水口（２１１）は、前記導水カバー取り付け部（２６０）の下部に設けられている、
ことを特徴とする請求項７に記載の洗濯機用の回転槽ユニット（２００）。
【請求項９】
前記給水口（２２１）は、前記導水カバー（２２０）の上端に設けられ、前記排水口（２１１）は、前記槽本体（２５０）の底壁に隣接する、
ことを特徴とする請求項８に記載の洗濯機用の回転槽ユニット（２００）。
【請求項１０】
前記導水カバー（２２０）の導水キャビティ（２４０）は、前記導水カバー（２２０）によって単独に画定されるか、又は前記導水カバー（２２０）と前記導水カバー取り付け部（２６０）の両方によって画定される、
ことを特徴とする請求項１〜９のいずれかに記載の洗濯機用の回転槽ユニット（２００）。
【請求項１１】
前記導水カバー取り付け部（２６０）は、前記槽本体（２５０）の周方向に間隔を空けて複数設けられており、前記導水カバー（２２０）は、それぞれ複数の前記導水カバー取り付け部（２６０）に複数設けられる、
ことを特徴とする請求項１〜１０のいずれかに記載の洗濯機用の回転槽ユニット（２００）。
【請求項１２】
洗濯機（１）であって、
筐体（１００）と、
前記筐体（１００）内に回転可能に設けられる請求項１〜１１のいずれかに記載の洗濯機用の回転槽ユニット（２００）と、を備える、
ことを特徴とする洗濯機（１）。
【請求項１３】
前記槽本体（２５０）の上端に設けられ、且つ前記槽本体（２５０）の上端に接続され、前記導水カバー（２２０）の上端に隣接し又は接続され、前記給水口（２２１）が前記導水カバー（２２０）の上端に設けられるバランスリング（２３０）を更に備える、
ことを特徴とする請求項１２に記載の洗濯機（１）。
【請求項１４】
少なくとも部分的に前記回転槽（２１０）の下方に位置するように前記筐体（１００）内に設けられ、前記回転槽（２１０）から脱水された液体が前記導水キャビティ（２４０）により前記排水口（２１１）からガイドされる水受けトレイ（４００）を更に備える、
ことを特徴とする請求項１２又は１３に記載の洗濯機（１）。
【請求項１５】
回転槽（２１０）内に回転可能に設けられるパルセータ（３００）を更に備える、
ことを特徴とする請求項１４に記載の洗濯機（１）。
【請求項１６】
前記水受けトレイ（４００）に取り付けられ、前記回転槽（２１０）及び前記パルセータ（３００）のうちの少なくとも一方を回転駆動するための駆動ユニット（５００）を更に備える、
ことを特徴とする請求項１５に記載の洗濯機（１）。
【発明の詳細な説明】
【技術分野】
【０００１】
（関連出願の相互参照）
本願は、出願番号が２０１８２０３４６４９３．８、出願日が２０１８年３月１３日の中国特許出願及び出願番号が２０１９１００８３６４３．Ｘ、２０１９２０１５６９２０．０、出願日が２０１９年１月２９日の中国特許出願に基づいて提出され、該中国特許出願の優先権を主張し、該中国特許出願の内容の全体が本願の一部として援用される。
【０００２】
本願は電器製造の技術分野に関し、具体的には、洗濯機用の回転槽ユニット及び前記洗濯機用の回転槽ユニットを備える洗濯機に関する。
【背景技術】
【０００３】
洗濯機の技術の持続的な発展に伴い、洗濯機は、大容量化へ発展しているが、洗濯機の大容量化とともに、洗濯機全体のサイズが増大し、このため、小型化・大容量化の洗濯機を提供することが期待され、また、従来の洗濯機では、洗濯するときに水が回転槽及び水槽にあり、即ち、水槽と回転槽との間にも水があり、水の使用量が大きく、水資源の浪費をもたらし、従来の洗濯機では、汚れが水槽と回転槽との間に残留して、細菌が発生しやすく、且つ、水槽と回転槽との間に水があるため、洗剤の使用量も大きくなり、洗剤の浪費をもたらし、コストダウンに不利である。
【０００４】
このため、関連技術では、水槽を省略して回転槽だけを装着した洗濯機が提案されており、回転槽の内周囲の壁面には、導水カバーが設けられ、脱水時に、回転槽内の水が遠心力の作用によりまず上り、次に導水カバーを介して重力の作用下で落下して排出される。しかしながら、脱水過程に亘って遠心力が関とするので、水の上昇及び落下時の遠心力による影響を考慮できず、脱水効果を損なってしまう。
【発明の概要】
【発明が解決しようとする課題】
【０００５】
本願は、少なくとも従来技術に存在する技術課題の１つを解決することを目的とする。そのために、本願は、脱水効果が良好であるなどの利点を有する洗濯機用の回転槽ユニットを提供する。
【課題を解決するための手段】
【０００６】
本願は、前記洗濯機用の回転槽ユニットを備える洗濯機を更に提供する。
【０００７】
本願の第１形態による実施例は、槽本体を含み、槽本体の内径が下方から上方に向かって徐々に増大し、槽本体の周壁に前記槽本体の外側へ凸設された導水カバー取り付け部が形成されている回転槽と、前記導水カバー取り付け部に設けられ、且つ前記回転槽内に位置し、給水口と排水口を有する導水キャビティを画定し、前記回転槽において遠心力の作用により上昇する液体が前記給水口から前記導水キャビティ内に入って前記排水口から排出される導水カバーと、を備える洗濯機用の回転槽ユニットを提供する。
【０００８】
本願の実施例による洗濯機用の回転槽ユニットは、槽本体の内径が下方から上方に向かって徐々に増大するようにして、水が上昇して導水カバーに入りやすく、それにより脱水効果が良好であるなどの利点を有する。
【０００９】
本願の実施例による洗濯機用の回転槽ユニットは、更に、下記付加的な技術的特徴を有する。
【００１０】
本願のいくつかの特定実施例によれば、前記導水カバー取り付け部での上下方向における前記槽本体の輪郭線と、残りの位置での上下方向における前記槽本体の輪郭線との距離が、上方から下方に向かって増大する。
【００１１】
本願のいくつかの特定実施例によれば、前記導水カバー取り付け部のいずれの部位での内径は、この部位の上方に位置する前記導水カバー取り付け部の部分の内径以上である。
【００１２】
更に、前記導水カバー取り付け部の上下方向における各部位での内径が一致している。
【００１３】
更に、前記導水カバー取り付け部の内径は、上方から下方に向かって増大する。
【００１４】
本願のいくつかの特定実施例によれば、前記槽本体及び前記導水カバー取り付け部は、一体部材である。
【００１５】
本願のいくつかの特定実施例によれば、前記給水口は、前記導水カバーに設けられ、前記排水口は、前記導水カバー取り付け部及び／又は前記槽本体の底壁に設けられる。
【００１６】
更に、前記給水口は、前記導水カバーの上方に設けられ、前記排水口は、前記導水カバー取り付け部の下部に設けられる。
【００１７】
更に、前記給水口は、前記導水カバーの上端に設けられ、前記排水口は、前記槽本体の底壁に隣接する。
【００１８】
本願のいくつかの特定実施例によれば、前記導水カバーの導水キャビティは、前記導水カバー単独で画定されるか、又は前記導水カバーと前記導水カバー取り付け部の両方で画定される。
【００１９】
本願のいくつかの特定実施例によれば、前記導水カバー取り付け部は、前記槽本体の周方向に間隔を空けて複数設けられており、前記導水カバーは、それぞれ複数の前記導水カバー取り付け部に複数設けられる。
【００２０】
本願の第２形態の実施例によれば、筐体と、前記筐体内に回転可能に設けられる本願の第１形態の実施例に記載の洗濯機用の回転槽ユニットと、を備える洗濯機を提供する。
【００２１】
本願の実施例による洗濯機は、本願の第１形態の実施例に記載の洗濯機用の回転槽ユニットを用いることで、脱水効果が良好であるなどの利点を有する。
【００２２】
本願のいくつかの特定実施例によれば、前記洗濯機は、前記槽本体の上端に設けられ、且つ前記槽本体の上端に接続され、前記導水カバーの上端に隣接し又は接続され、前記給水口が前記導水カバーの上端に設けられるバランスリングを更に備える、ことを特徴とする。
【００２３】
本願のいくつかの特定実施例によれば、前記洗濯機は、少なくとも部分的に前記回転槽の下方に位置するように、前記筐体内に設けられ、前記回転槽から脱水された液体が前記導水キャビティにより前記排水口からガイドされる水受けトレイを更に備える。
【００２４】
更に、前記洗濯機は、回転槽内に回転可能に設けられるパルセータを更に備える。
【００２５】
更に、前記洗濯機は、前記水受けトレイに取り付けられ、前記回転槽と前記パルセータのうちの少なくとも一方を回転駆動するための駆動ユニットを更に備える。
【００２６】
本願の追加の形態と利点は、以下の説明において部分的に説明され、その一部は、以下の説明から明らかなになるか、又は本願を実施することによって把握できる。
【図面の簡単な説明】
【００２７】
本願の上記及び／又は追加の態様及び利点は、以下の図面を参照しながら実施例を説明することによって明らかで容易に理解できるようになる。
【図１】本願の実施例による洗濯機の断面図である。
【図２】本願の実施例による洗濯機用の回転槽ユニットの構造模式図である。
【図３】本願の実施例による洗濯機用の回転槽ユニットの部分構造模式図である。
【図４】本願の実施例による洗濯機用の回転槽ユニットの回転槽の構造模式図である。
【図５】本願の実施例による洗濯機用の回転槽ユニットの回転槽の断面図である。
【図６】本願の他のいくつかの実施例による洗濯機用の回転槽ユニットの回転槽の断面図である。
【図７】本願のまた他のいくつかの実施例による洗濯機用の回転槽ユニットの回転槽の断面図である。
【発明を実施するための形態】
【００２８】
以下に、本願の実施例を詳細に説明し、前記実施例の例は図面に示され、一貫して同様又は類似の参照番号は、同一又は類似の要素および同一又は類似の機能を有する要素を示す。以下、図面を参照して記述される実施例は、例示的なものであって、本願を解釈するためのものに過ぎず、本願を制限するものとして理解してはならない。
【００２９】
なお、本願の説明において、「上」、「下」、「垂直」、「水平」、「頂」、「底」「内」、「外」、「径方向」、「周方向」などの用語が示す方位又は位置関係は、図面に示す方位又は位置関係に基づき、本願を便利に又は簡単に説明するためのものであり、指定された装置又は部材が特定の方位にあり、特定の方位において構造され操作されると指示又は暗示するものではないので、従って本願を限定するものと理解してはいけない。また、本願の説明において、特に説明しない限り、「複数」の意味は２つ以上である。
【００３０】
ただし、本願の説明において、明確な規定と限定がない限り、用語「取り付け」、「互いに接続」、「接続」の意味は広く理解されるべきである。たとえば、固定接続や、着脱可能な接続や、あるいは一体的な接続でも可能であり、機械的接続、電気的接続でも可能であり、直接的に接続することや、中間媒体を介して間接的に接続することも可能である。２つの部材の内部が貫通することも可能である。当業者にとって、具体的な状況に応じて上記用語の本願中の具体的な意味を理解することができる。
【００３１】
以下、図面を参照しながら、本願の実施例による洗濯機用の回転槽ユニット２００について説明する。
【００３２】
図１〜図７に示すように、本願の実施例による洗濯機用の回転槽ユニット２００は、回転槽２１０と導水カバー２２０を備える。
【００３３】
回転槽２１０は槽本体２５０を備え、槽本体２５０の内径が下方から上方に向かうに向かって増大し、槽本体２５０の周壁に槽本体２５０の外側へ凸設された導水カバー取り付け部２６０が形成される。槽本体２５０の内径Ｄは下方から上方に向かって徐々に増大し、即ち、槽本体２５０は上が大きくて下が小さい錐体形に構成できる。導水カバー２２０は導水カバー取り付け部２６０に設けられ、且つ回転槽２１０内に位置し、導水カバー２２０は、給水口２２１と排水口２１１を有する導水キャビティ２４０を画定し、回転槽２１０において遠心力の作用により上昇する液体が給水口２２１から導水キャビティ２４０内に入って排水口２１１から排出される。
【００３４】
本願の実施例による洗濯機用の回転槽ユニット２００は、槽本体２５０の内周壁に導水カバー取り付け部２６０を構成し、導水カバー２２０は、導水カバー取り付け部２６０に取り付けられ、且つ槽本体２５０内に位置し、槽本体２５０の回転中に、槽本体２５０内の水が遠心力の作用により槽本体２５０の内周壁に沿って上昇して給水口２２１から導水キャビティ２４０に入り、次に重力の作用により下へ流れて排水口２１１から排出され、それにより、回転槽２１０における水槽を不要として、回転槽ユニット２００の構造を簡略化する。また、槽本体２５０の内径が下方から上方に向かって徐々に増大するようにすることで、水が上昇して導水カバー２２０に入りやすく、それにより脱水効果を向上させる。
【００３５】
本願のいくつかの実施例では、図５〜図７に示すように、導水カバー取り付け部２６０での上下方向における槽本体２５０の輪郭線と、残りの位置での上下方向における槽本体２５０の輪郭線との距離が、上方から下方に向かって増大する。
【００３６】
いくつかの実施例では、導水カバー取り付け部２６０と垂直方向（即ち、上下方向）との夾角αは、槽本体２５０の周壁と垂直方向との夾角より小さい。
【００３７】
なお、槽本体２５０の周壁は垂直方向に対して上方から下方へ内向きに徐々に傾斜して延びており、槽本体２５０の周壁に形成された上方から下方への輪郭線と垂直方向との夾角が正数であると仮定すると、導水カバー取り付け部２６０と垂直方向との夾角αが槽本体２５０の周壁と垂直方向との夾角より小さい（導水カバー取り付け部２６０と垂直方向との夾角αが正数、ゼロ及び負数であるといった状況を含む）。
【００３８】
本願の実施例では、導水カバー取り付け部２６０での上下方向における槽本体２５０の輪郭線と、残りの位置での上下方向における槽本体２５０の輪郭線はいずれも直線に形成され、槽本体２５０は上が大きくて下が小さい錐体形に構成されるため、導水カバー取り付け部２６０での上下方向における槽本体２５０の輪郭線は、図５中の上下方向に延びている垂直線に形成されてもよく、図６中の上下方向に対して上方から下方へ外向きに徐々に傾斜して延びている傾斜直線に形成されてもよく、又は図７中の上下方向に対して上方から下方へ内向きに徐々に傾斜して延びている傾斜直線に形成されてもよい。
【００３９】
導水カバー取り付け部２６０の内径ｄは、導水カバー取り付け部２６０での槽本体２５０の内径であり、ここで内径ｄの測定起点と終点がいずれも導水カバー取り付け部２６０の内側壁であり、槽本体の内径Ｄは、槽本体２５０の導水カバー取り付け部２６０以外の部分の内径であり、ここで内径Ｄの測定起点と終点がいずれも槽本体２５０の導水カバー取り付け部２６０以外の部分の内側壁であり、ただし、図５〜図７に示される内径ｄは、導水カバー取り付け部２６０での肉厚を無視したものであり、内径Ｄは、槽本体２５０の導水カバー取り付け部２６０以外の部分の肉厚を無視したものである。
【００４０】
本願のいくつかの実施例では、図７に示すように、導水カバー取り付け部２６０の内径ｄは、下方から上方に向かって徐々に増大してもよく、即ち、導水カバー取り付け部２６０と垂直方向との夾角が正数であり、ここでは、導水カバー取り付け部２６０の上端の内径は、導水カバー取り付け部２６０の上端と同じ高さの槽本体２５０の部分の内径以上であり、導水カバー取り付け部２６０の残りの部分の内径は、いずれも、これらの部分と同じ高さの槽本体２５０の部分の内径よりより大きいようにしてもよく、即ち、回転槽２１０の径方向には、導水カバー取り付け部２６０の上端以外の残りの部分がいずれも槽本体２５０の周壁の外側に位置し、この例では、導水カバー取り付け部２６０と垂直方向との夾角が正数であり、即ち、導水カバー取り付け部２６０が垂直方向に対して傾斜する方向は、槽本体２５０の周壁が垂直方向に対して傾斜する方向と同一である。
【００４１】
本願の他のいくつかの実施例では、導水カバー取り付け部２６０のいずれの部位での内径は、この部位の上方に位置する部分の内径以上である。つまり、導水カバー取り付け部２６０のいずれの部位での内径は、この部位の上方に位置する導水カバー取り付け部２６０の部分の内径以上である。
【００４２】
たとえば、図５に示すように、導水カバー取り付け部２６０は上下方向に沿って垂直に延びてもよい。つまり、導水カバー取り付け部２６０と垂直方向との夾角αがゼロ度であり、導水カバー取り付け部２６０の上下方向における各部位での内径ｄが一致している。
【００４３】
またたとえば、図６に示すように、導水カバー取り付け部２６０の内径ｄは、上方から下方に向かって増大してもよく、即ち、回転槽２１０の径方向に、導水カバー取り付け部２６０の下端が導水カバー取り付け部２６０の上端の外側に位置してもよく、この例では、導水カバー取り付け部２６０と垂直方向との夾角αが負数であり、即ち、導水カバー取り付け部２６０が垂直方向に対して傾斜する方向は、槽本体２５０の周壁が垂直方向に対して傾斜する方向と逆である。
【００４４】
ただし、回転槽ユニット２００の横断面においては、導水カバー取り付け部２６０は槽本体２５０と同心の弧形であり、従って導水カバー取り付け部２６０の内径はその内側面が位置する弧形の直径である。
【００４５】
槽本体２５０及び導水カバー取り付け部２６０は、一体部材であり、即ち、槽本体２５０及び導水カバー取り付け部２６０は、一体に成形され、加工しやすく、また、密封性と構造強度が高い。
【００４６】
導水カバー２２０は、導水カバー取り付け部２６０に設けられ、且つ回転槽２１０内に位置し、導水カバー２２０は、給水口２２１と排水口２１１を有する導水キャビティ２４０を画定する。回転槽２１０において遠心力の作用により上昇する液体が給水口２２１から導水キャビティ２４０内に入って排水口２１１から排出される。
【００４７】
具体的には、洗濯機１の脱水中、回転槽２１０が回転し、即ち、導水カバー２２０が槽本体２５０とともに回転し、回転槽２１０内の液体が遠心力の作用により上へ移動し、給水口２２１から導水キャビティ２４０に入り、導水キャビティ２４０に入った液体が導水カバー２２０により排水口２１１までガイドされ、排水口２１１から排出される。
【００４８】
当業者にとっては明らかに、図１〜図３に示される例では、槽本体２５０の上下方向における内径Ｄの差が非常に小さいので、図面から、槽本体２５０の内径Ｄが下方から上方に向かって徐々に増大することをはっきりと観察できないが、図４〜図６に示される例では、槽本体２５０の該構造特徴をはっきりと示すことができる。
【００４９】
関連技術では、パルセータ洗濯機の回転槽は、一般的に、内径が一致するストレートバケツであり、又は、上が大きくて下が小さい錐体形バケツであり、回転槽は、回転中に、内径が大きな部分の離心力が大きく、内径が小さな部分の離心力も小さい。このように、ストレートバケツ構造の場合、脱水時に水が上昇しにくく、錐体形バケツ構造の場合、脱水時に水が落下にくいため、いずれも脱水効果に影響を与える。
【００５０】
本願の実施例による洗濯機用の回転槽ユニット２００では、槽本体２５０の内径が下方から上方に向かって徐々に増大するようにすることで、脱水時に、回転槽２１０内の水が上昇しやすいため、給水口２２１から導水キャビティ２４０内に入り、且つ導水カバー取り付け部２６０と垂直方向との夾角が槽本体２５０の周壁と垂直方向との夾角より小さく、好ましくは、導水カバー取り付け部２６０のいずれの部位での内径をこの部位の上方に位置する部分の内径以上にすることによって、導水キャビティ２４０内に入った水が、遠心力で制限されずに、排水口２１１から順調に流出できる。
【００５１】
従って、本願の実施例による洗濯機用の回転槽ユニット２００は、水の上昇及び落下時の遠心力による影響を考慮でき、それにより脱水効果が良好であるなどの利点を有する。
【００５２】
本願のいくつかの特定実施例では、図１〜図４に示すように、給水口２２１が導水カバー２２０に設けられ、排水口２１１が導水カバー取り付け部２６０及び／又は槽本体２５０の底壁に設けられる。即ち、排水口２１１は、導水カバー取り付け部２６０に設けられてもよく、槽本体２５０の底壁に設けられてもよく、又は、導水カバー取り付け部２６０と槽本体２５０の両方に設けられてもよい。
【００５３】
具体的には、排水口２１１が導水カバー取り付け部２６０に設けられる場合、導水カバー２２０が排水口２１１に覆設され、且つ導水カバー２２０の下端が導水カバー取り付け部２６０のみに接続され、それにより、導水カバー２２０を密封しやすい。勿論、本願の排水口２１１が槽本体２５０の底壁に設けられてもよく、導水カバー２２０が排水口２１１に覆設され、脱水時の脱水効率の向上に寄与し、脱水効果が良好であり、また水が排水口２１１から飛び散ることを効果的に減少できる。排水口２１１が導水カバー取り付け部２６０と槽本体２５０の底壁の両方に設けられる場合、導水カバー２２０を密封しやすく、脱水時の脱水効率の向上にも寄与し、また水が排水口２１１から飛び散ることを効果的に防止できる。
【００５４】
更に、図１〜図４に示すように、給水口２２１は、導水カバー２２０の上方に設けられ、排水口２１１は、導水カバー取り付け部２６０の下部に設けられる。ただし、ここでは、導水カバー２２０の上方は、導水カバー２２０の上下方向における中心の上の部分であり、導水カバー取り付け部２６０の下部は、導水カバー取り付け部２６０の上下方向における中心の下の部分である。それにより、脱水時に、回転槽２１０が回転し、回転槽２１０内の水が遠心力の作用により上昇し、導水カバー２２０の上方に位置する給水口２２１は上昇した水を効果的に収集でき、この部分の水が給水口２２１から導水カバー２２０内に入り、導水カバー２２０のガイドで下方の排水口２１１へ流れ、それにより脱水効率と脱水効果を更に向上させる。
【００５５】
更に、図１〜図４に示すように、給水口２２１が導水カバー２２０の上端に設けられることで、回転槽２１０内において遠心力の作用により回転槽２１０の上端に上昇した液体を収集しやすい。排水口２１１は導水カバー取り付け部２６０に設けられ、且つ槽本体２５０の底壁と隣接して設けられ、槽本体２５０の底壁と所定の距離を空けており、それにより、導水カバー２２０を密封しやすい。
【００５６】
好ましくは、導水カバー２２０の導水キャビティ２４０は、導水カバー２２０単独で画定されるか、又は導水カバー２２０と導水カバー取り付け部２６０の両方で画定される。つまり、導水カバー２２０内に完全な導水キャビティ２４０を画定し、導水カバー２２０に導水キャビティ２４０と排水口２１１を連通させる貫通孔を開設する。あるいは、導水カバー２２０内に一面が開放する導水キャビティ２４０を画定し、導水カバー２２０が導水カバー取り付け部２６０に取り付けられる場合、導水カバー取り付け部２６０が導水キャビティ２４０の開放面を密閉する。
【００５７】
本願のいくつかの特定実施例では、図１〜図６に示すように、洗濯機１の排水効果を向上させるために、導水カバー取り付け部２６０は、槽本体２５０の周方向に間隔を空けて複数設けられており、導水カバー２２０は、それぞれ複数の導水カバー取り付け部２６０に複数設けられる。つまり、導水カバー取り付け部２６０の数が導水カバー２２０の数と対応し、導水カバー取り付け部２６０のそれぞれに導水カバー２２０が取り付けられる。一例としては、導水カバー取り付け部２６０は、２つあり、槽本体２５０の径方向に相対設けられ、導水カバー２２０は、２つあり、それぞれ一対一で２つの導水カバー取り付け部２６０に設けられる。
【００５８】
以下、図面を参照しながら、本願の実施例による洗濯機１について説明する。
【００５９】
図１〜図６に示すように、本願の実施例による洗濯機１は、筐体１００と回転槽ユニット２００を備える。
【００６０】
回転槽ユニット２００が筐体１００内に回転可能に設けられる。
【００６１】
本願の実施例による洗濯機１は、水槽を設けられずに回転槽２１０のみを設ける単一槽構造を用い、洗浄中、水が回転槽２１０内にあり、節水し、更に、回転槽２１０の内周壁面に、給水口２２１と排水口２１１を有する導水キャビティ２４０が画定されている導水カバー２２０を設けることで、脱水時に、回転槽２１０内の水が遠心力の作用により上昇し、給水口２２１から導水カバー２２０内に入り、導水カバー２２０のガイドで排水口２１１まで流れて、排水口２１１から排出される。それにより、水槽を不要として構造を簡略化し、容量を増加させ、汚れや細菌繁殖を減少させ、節水するとともに、脱水効果を向上できる。
【００６２】
更に、導水カバー２２０が回転槽２１０に接続されることで、脱水中の導水を実現するために、筐体１００に付加の構造を設けたり、筐体１００を内部と外部の二層構造に設けたりする必要はなく、このように、筐体１００の材料は制限されず、たとえば板金などの材料を用いることができ、それにより外観が大幅に改善される。
【００６３】
また、本願の上記実施例の回転槽ユニット２００を用いることで、水の上昇及び落下時の遠心力による影響を考慮でき、脱水効果が良好であるなどの利点を有する。
【００６４】
ただし、本願の実施例による洗濯機用の回転槽ユニット２００は、単一槽洗濯機を用いてもよく、二重槽洗濯機を用いてもよく、本願はこれについて制限しない。
【００６５】
本願のいくつかの特定例では、図１に示すように、本願の実施例による洗濯機１は、筐体１００、回転槽ユニット２００、パルセータ３００、水受けトレイ４００、駆動ユニット５００及び支持・振動吸収ユニット６００を備える。
【００６６】
パルセータ３００は、回転槽２１０内に回転可能に設けられる。水受けトレイ４００は、少なくとも部分的に回転槽２１０の下方に位置するように、筐体１００内に設けられ、水受けトレイ４００は、回転槽２１０を支持することに用いられ、ここでは、直接支持であってもよく、間接支持であってもよい。本実施例では、駆動ユニット５００は、水受けトレイ４００に取り付けられ、たとえば水受けトレイ４００の下面に取り付けられ、回転槽２１０とパルセータ３００のうちの少なくとも一方を回転駆動することに用いられる。駆動ユニット５００には、水受けトレイ４００に挿通され且つ水受けトレイ４００に接続嵌合される駆動軸ユニット５０１が設けられ、水受けトレイ４００と回転槽２１０との間には、駆動軸ユニット５０１に接続され、回転槽２１０に固定して接続される支持プレート５０２が設けられる。導水キャビティ２４０は回転槽２１０から脱水した液体を排水口２１１から水受けトレイ４００までガイドする。ここでは、水受けトレイ４００内には、受水槽４１０があり得て、かつ、水受けトレイ４００の最も低い部位には排水する排水口が設けられ、水受けトレイ４００は、導管などを用いて受水槽４１０内の水を導出することで、排水口が設けられなくてもよい。支持・振動吸収ユニット６００は、筐体１００内に取り付けられ、且つ水受けトレイ４００に接続される。
【００６７】
それにより、水受けトレイ４００を設けることで、導水キャビティ２４０内から排出された液体を受けることができるだけではなく、駆動ユニット５００と支持・振動吸収ユニット６００を水受けトレイ４００に取り付けて、駆動ユニット５００と支持回転槽２１０を載置する役割を果たすことができる。
【００６８】
更に、図１及び図２に示すように、洗濯機１は、回転槽２１０の回転時のバランスを維持するためのバランスリング２３０を更に備え、バランスリング２３０は、槽本体２５０の上端に設けられ、且つ槽本体２５０の上端に接続され、導水カバー２２０の上端は、バランスリング２３０に隣接し、且つバランスリング２３０に間隔を空けて設けられており、該隙間によって導水カバー２２０が取り付けられやすく、給水口２２１が導水カバー２２０の上端に設けられる。このように、給水口２２１は、バランスリング２３０と所定の距離を空けるように、バランスリング２３０の下方に位置し、回転槽２１０が回転する時、回転槽２１０内の水が遠心力の作用により給水口２２１に入り、導水キャビティ２４０内に入る。導水カバー２２０の上端がバランスリング２３０に接続されてもよく、この場合、バランスリング２３０と導水カバー２２０の上端が給水口２２１を画定し、回転槽２１０が回転する時、回転槽２１０内の水が遠心力の作用により給水口２２１に入り、導水キャビティ２４０内に入る。
【００６９】
本願の実施例による洗濯機１のその他の構成及び操作は、当業者にとって既知のものであり、ここでは、詳細な摘要が省略される。
【００７０】
本明細書の説明において、「一実施例」、「いくつかの実施例」、「例示的な実施例」、「例」、「特定例」、又は「いくつかの例」などの用語を参考した説明とは、当該実施例又は例に合わせて説明された具体的な特徴、構造、材料又は特徴が、本願の少なくとも一つの実施例又は例に含まれることを意味する。本明細書において、上記用語に対する例示的な説明は必ずしも同一の実施例又は例を示すことではない。また、説明された具体的な特徴、構造、材料、又は特徴は、いずれか一つ又は複数の実施例又は例において適切な形態で結合することができる。
【００７１】
本願の実施例を示して開示したが、当業者であれば、本願の原理や主旨から逸脱することなく、これらの実施例に対する様々な変化、補正、置換や変形が可能であることを理解でき、本願の範囲が特許請求の範囲及びその等価物で限定される。
【符号の説明】
【００７２】
１００  筐体
２００  回転槽ユニット
２１０  回転槽
２１１  排水口
２２０  導水カバー
２２１  給水口
２３０  バランスリング
２４０  導水キャビティ
２５０  槽本体
２６０  導水カバー取り付け部
４００  水受けトレイ
４１０  受水槽            
６００  支持・振動吸収ユニット
【図１】
2021500187.tif 000003
【図２】
2021500187.tif 000004
【図３】
2021500187.tif 000005
【図４】
2021500187.tif 000006
【図５】
2021500187.tif 000007
【図６】
2021500187.tif 000008
【図７】
2021500187.tif 000009
【国際調査報告】
2021500187.tif 000010
2021500187.tif 000011
2021500187.tif 000012
2021500187.tif 000013